(57)【要約】【課題】設置する対象車種に合わせて表示部の画質の初期調整を容易に行うことができる車載用表示装置及び車載用表示装置の車両への取付方法を提供する。【解決手段】表示部７と、各々複数の画質設定値に対応付けられた複数の画質設定情報を格納する格納部４と、複数の画質設定情報のいずれか１つが選択される選択部５と、選択部５において選択された画質設定情報に対応する画質設定値を格納部４より読み出し、読み出した画質設定値に基づいて表示部７の画質調整を行う制御部２と、を備える車載用表示装置１である。画質設定情報を選択部５より選択することで、制御部２が対応する画質設定値を格納部４より読み出し、読み出した画質設定値に基づいて表示部７の画質調整を行うので、表示部７の画質の初期調整を容易に行うことができる。【選択図】図１
2007284024.tif 000002
【特許請求の範囲】
【請求項１】
表示部と、
各々複数の画質設定値に対応付けられた複数の画質設定情報を格納する格納部と、
前記複数の画質設定情報のいずれか１つが選択される選択部と、
前記選択部において選択された画質設定情報に対応する画質設定値を前記格納部より読み出し、読み出した画質設定値に基づいて前記表示部の画質調整を行う制御部と、
を備えることを特徴とする車載用表示装置。
【請求項２】
画質設定値が入力される画質設定部を有し、
前記制御部は、前記画質設定部により画質設定値が入力された場合に、前記格納部より画質設定値を読み出さずに、前記画質設定部より入力された画質設定値に基づいて前記表示部の画質調整を行うことを特徴とする請求項１に記載の車載用表示装置。
【請求項３】
画質設定値の調整値が入力される画質調整部を有し、
前記制御部は、前記画質調整部により調整値が入力された場合に、前記格納部より読み出した画質設定値に前記調整値を加算した値に基づいて前記表示部の画質調整を行うことを特徴とする請求項１に記載の車載用表示装置。
【請求項４】
請求項１〜３のいずれか一項に記載の車載用表示装置の車両への取付方法であって、
車両への取付時に、対象車種に対応する画質設定情報を前記選択部において選択することを特徴とする車載用表示装置の車両への取付方法。
【請求項５】
請求項１〜３のいずれか一項に記載の車載用表示装置の車両への取付方法であって、
車両への取付時に、車両への設置角度に対応する画質設定情報を前記選択部において選択することを特徴とする車載用表示装置の車両への取付方法。
【発明の詳細な説明】
【技術分野】
【０００１】
本発明は、車載用表示装置及び車載用表示装置の車両への取付方法に関する。
【背景技術】
【０００２】
カーナビゲーションシステム、テレビ画面、ＤＶＤの映像、バックモニタの画像等を表示するのに、車載用表示装置が用いられる。近年は、薄型で低消費電力であるといった利点から、その表示部に液晶表示装置（ＬＣＤ）を用いるものがある。
【０００３】
一方、液晶表示装置は従来のＣＲＴディスプレイ等と比較して視野角が狭く、設置位置により表示が見えにくくなるという問題がある。これを解決する方法として、例えばＬＣＤの駆動電圧を変えることにより視野角を変える方法がある（例えば、特許文献１参照）。
【特許文献１】特開平１０−１９７８４３号公報
【発明の開示】
【発明が解決しようとする課題】
【０００４】
ところで、例えば輝度やコントラスト等の画質設定値を調整することにより、液晶表示装置の視認性を高める方法がある。
しかし、車載用表示装置を設置するダッシュボード等の形態は対象車種により異なり、一台一台に合わせて画質設定値を調整することは煩雑である。
【０００５】
本発明の課題は、設置する対象車種に合わせて表示部の画質の初期調整を容易に行うことができる車載用表示装置及び車載用表示装置の車両への取付方法を提供することである。
【課題を解決するための手段】
【０００６】
以上の課題を解決するため、請求項１に記載の発明は、表示部と、各々複数の画質設定値に対応付けられた複数の画質設定情報を格納する格納部と、前記複数の画質設定情報のいずれか１つが選択される選択部と、前記選択部において選択された画質設定情報に対応する画質設定値を前記格納部より読み出し、読み出した画質設定値に基づいて前記表示部の画質調整を行う制御部と、を備えることを特徴とする車載用表示装置である。
【０００７】
請求項２に記載の発明は、請求項１に記載の車載用表示装置であって、画質設定値が入力される画質設定部を有し、前記制御部は、前記画質設定部により画質設定値が入力された場合に、前記格納部より画質設定値を読み出さずに、前記画質設定部より入力された画質設定値に基づいて前記表示部の画質調整を行うことを特徴とする。
【０００８】
請求項３に記載の発明は、請求項１に記載の車載用表示装置であって、画質設定値の調整値が入力される画質調整部を有し、前記制御部は、前記画質調整部により調整値が入力された場合に、前記格納部より読み出した画質設定値に前記調整値を加算した値に基づいて前記表示部の画質調整を行うことを特徴とする。
【０００９】
請求項４に記載の発明は、請求項１〜３のいずれか一項に記載の車載用表示装置の車両への取付方法であって、車両への取付時に、対象車種に対応する画質設定情報を前記選択部において選択することを特徴とする。
【００１０】
請求項５に記載の発明は、請求項１〜３のいずれか一項に記載の車載用表示装置の車両への取付方法であって、車両への取付時に、車両への設置角度に対応する画質設定情報を前記選択部において選択することを特徴とする。
【発明の効果】
【００１１】
本発明によれば、画質設定情報を選択部より選択することで、制御部が対応する画質設定値を格納部より読み出し、読み出した画質設定値に基づいて表示部の画質調整を行うので、表示部の画質の初期調整を容易に行うことができる。
【発明を実施するための最良の形態】
【００１２】
以下、図を参照して本発明を実施するための最良の形態を詳細に説明する。
＜第１実施形態＞
図１は本発明の第１実施形態に係る車載用表示装置１を示すブロック図である。この車載用表示装置１は複数種類の自動車に対応し、ダッシュボード等に設置され、カーナビゲーションシステム、テレビ画面、ＤＶＤの映像、バックモニタの画像等を表示するのに用いられる。
図１に示すように、車載用表示装置１は、制御部２と、ＲＡＭ３と、ＲＯＭ４（格納部）と、入力部５（選択部、画質設定部、画質調整部）と、表示ドライバ６と、表示部７と、昼夜検出部８とを備える。
【００１３】
昼夜検出部８は、制御部２が任意の方法により「昼」または「夜」モードのいずれかであるかの判断を行うための判別信号を制御部２に出力する。判別信号として、昼夜検出部８は、例えば自動車のライトが点灯している場合に点灯信号を制御部２に出力する。あるいは、自動車に設けられた光センサの出力値を制御部２に出力する。
【００１４】
表示部７は車載用表示装置１の正面に設けられており、液晶ディスプレイ又はエレクトロルミネッセンスディスプレイといった表示部である。表示ドライバ６は制御部２から入力される表示制御情報に従って表示部７を駆動する。
【００１５】
ＲＡＭ３は不揮発性メモリであり、制御部２にワークエリアを提供し、制御部２によるプログラムの実行時に生じる処理結果等のデータが記憶されるワークエリアに一時的に記憶する。例えば、ＲＡＭ３には後述する「１」〜「４」のいずれかの設定情報番号や、後述する画質設定値等が記憶される。
【００１６】
ＲＯＭ４には、制御部２にとって読取可能・実行可能なプログラムやデータが格納されている。例えば、ＲＯＭ４には、この車載用表示装置１が設置される対象車種に対応する表示設定情報を記憶した画質設定情報テーブル１０が格納されている。
【００１７】
画質設定情報テーブル１０の一例を図２（ａ）に示す。図２（ａ）に示す画質設定情報テーブル１０には、画質設定情報が記憶されている。各画質設定情報には、１〜４の数字（設定情報番号）が付されており、表示部７の画質を調整するための複数の画質設定値とが関連付けられている。
なお、各画質設定情報は、図２（ｂ）に示すように、車載用表示装置１が設置される複数種類の対象車種に対応している。このため、車載用表示装置１は、少ない情報量で多くの対象車種に対応することができる。
【００１８】
ここで、画質設定値には、例えば輝度（ＢＲＴ）、コントラスト（ＣＯＮＴ）、カラー（ＣＯＬ）、色合い（ＴＩＮ）、黒レベル（ＢＬＫ）等がある。例えば１〜２０の数字で画質設定値が示された場合には、後述する制御部２により作成される表示制御情報により、表示部７の輝度、コントラスト、カラー、色合い、黒レベル等が２０段階に調節される。
また、各画質設定情報には、昼モードと夜モードとで異なる画質設定値が対応付けられている。
【００１９】
入力部５は車載用表示装置１の正面に設けられており、各種の入力キー、入力ダイヤルを有し、これら入力キーや入力ダイヤルの操作に対応する操作信号を制御部２に出力する。
入力部５は、ユーザ等により選択された設定情報番号を表す信号を制御部２に出力する。また、入力部５は、画質を調整するための画質設定値を表す信号を制御部２に出力する。
【００２０】
制御部２は、ＣＰＵ等を有し、ＲＯＭ４に格納されたプログラムやデータに従って車載用表示装置１の統括的な制御を行う。例えば、制御部２は、あらかじめ入力部５により入力された信号に対応する設定情報番号をＲＡＭ３に記憶する。
【００２１】
また、制御部２は昼夜検出部８の出力により「昼」または「夜」モードであることを判断する。例えば、昼夜検出部８より点灯信号が入力されていれば「夜」と判断し、入力されていなければ「昼」と判断する。あるいは、光センサの出力値が所定の値以下であれば「夜」と判断し、所定の値以下であれば「昼」と判断する。
【００２２】
さらに、制御部２は、ＲＯＭ４に格納された画質設定情報テーブル１０から、ＲＡＭ３に記憶された設定情報番号に対応する画質設定情報であって、「昼」または「夜」のモードに対応する画質設定値（プリセット値）を読み出し、画質設定値に従って表示制御情報を作成し、表示ドライバ６に出力することで表示部７の画質調整を行う。
なお、制御部２は、画質設定値を表す信号が入力部５より入力された場合には、入力された画質設定値をＲＡＭ３に記憶する。
【００２３】
次に、制御部２による表示部７の画質調整方法について説明する。
あらかじめ、初期設定として、車載用表示装置１の設置時に、設置者（ディーラー）が入力部５を操作することで、図２（ｂ）に従い車載用表示装置１が設置される対象車種に応じた設定情報番号の選択を行う。すると、制御部２は入力部５により入力された信号に対応する設定情報番号をＲＡＭ３に記憶する。
【００２４】
ユーザが車載用表示装置１の電源を入れると、制御部２は、昼夜検出部８の出力により「昼」または「夜」モードであることを判断する。次に、制御部２はＲＯＭ４に記憶された画質設定情報テーブル１０から、ＲＡＭ３に記憶された設定情報番号に対応する画質設定情報であって、「昼」または「夜」の判断結果に対応する画質設定値（プリセット値）を読み出す。そして、制御部２は、読み出した画質設定値に基づいて作成した表示制御情報を表示ドライバ６に出力する。表示ドライバ６は入力された表示制御情報に基づいて表示部７の画質調整を行う。
【００２５】
なお、ＲＡＭ３に画質設定値が記憶されている場合には、制御部２はＲＯＭ４からプリセット値を読み出さずに、ＲＡＭ３に記憶された画質設定値を読み出し、読み出した画質設定値に基づいて作成した表示制御情報を表示ドライバ６に出力する。このため、ユーザの嗜好に合わせて画質調整を行うことができる。
【００２６】
ユーザが再び入力部５を操作して対象車種に応じた設定情報番号の選択を行ったときは、ユーザが選択した設定情報番号を表す信号が制御部２に出力され、制御部２は対応する設定情報番号をＲＡＭ３に書き込むとともに、ＲＡＭ３に記憶された画質設定値を消去する。その後、制御部２はＲＯＭ４に記憶された画質設定情報テーブル１０から、ＲＡＭ３に記憶された設定情報番号に対応する画質設定情報を選択し、「昼」または「夜」の判断結果に対応する画質設定値を読み出して表示制御情報を作成し、表示ドライバ６に出力する。
【００２７】
＜変形例＞
上記実施形態では、制御部２がユーザにより設定された画質設定値をプリセット値に優先して適用し、表示制御情報を作成したが、プリセット値を基準として、ユーザにより設定された調整値により画質設定値を調整するようにしてもよい。
【００２８】
すなわち、入力部５は、画質設定値の調整値を表す信号が制御部２に出力する。制御部２は、調整値を表す信号が入力部５より入力された場合には、入力された調整値をＲＡＭ３に記憶する。
【００２９】
ユーザが車載用表示装置１の電源を入れると、制御部２は、昼夜検出部８の出力により「昼」または「夜」の判断する。次に、制御部２はＲＯＭ４に記憶された画質設定情報テーブル１０から、ＲＡＭ３に記憶された設定情報番号に対応する画質設定情報であって、「昼」または「夜」の判断結果に対応する画質設定値（プリセット値）を読み出すとともに、ＲＡＭ３に記憶された調整値を読み出し、プリセット値に調整値を加算した画質設定値を算出する。そして、制御部２は、算出した画質設定値に基づいて作成した表示制御情報を表示ドライバ６に出力する。表示ドライバ６は入力された表示制御情報に基づいて表示部７の画質調整を行う。
【００３０】
＜第２実施形態＞
次に、本発明の第２実施形態について説明する。第２実施形態に係る車載用表示装置１の構成は、第１実施形態とほぼ同じであるが、各画質設定情報が、図３に示すように、車載用表示装置１の設置角度に対応付けられている点が異なる。
【００３１】
次に、第２実施形態における車載用表示装置の初期設定方法について説明する。まず、車載用表示装置１の設置時に、設置者（ディーラー）が入力部５を操作することで、図３に従い車載用表示装置１が設置される角度に応じた設定情報番号の選択を行う。すると、制御部２は入力部５により入力された信号に対応する設定情報番号をＲＡＭ３に記憶する。
以後の制御部２による表示部７の画質調整や、ユーザによる画質設定値や調整値の入力、設定情報番号の再選択については、第１実施形態と同様である。
【００３２】
なお、上記の実施形態においては、４種類の画質設定情報に１〜４の設定情報番号を対応させたが、本発明はこれに限定されるものではない。また、画質設定情報テーブル１０の画質設定値も任意である。
【図面の簡単な説明】
【００３３】
【図１】本発明の第１実施形態に係る車載用表示装置１の構成を示すブロック図である。
【図２】（ａ）は図１のＲＯＭ４に格納された画質設定情報テーブル１０の一例であり、（ｂ）は画質設定情報と対象車種との対応関係を示す表である。
【図３】画質設定情報と設置角度との対応関係を示す表である。
【符号の説明】
【００３４】
１     車載用表示装置
２     システムコントローラ（制御部）
４     ＲＯＭ（格納部）
５     入力部（選択部、画質設定部、画質調整部）
７     表示部
【図１】
2007284024.tif 000003
【図２】
2007284024.tif 000004
【図３】
2007284024.tif 000005